(57)【要約】【課題】幅寄せ具を用いることなく紙幣の幅寄せを行う。【解決手段】ローラ３ａ、３ｂに巻きかけられた上ベルト２と、ローラ６ａ、６ｂに巻きかけられかつ上ベルト２に重ねて配置された下ベルト５と、上ベルト２および下ベルト５の一側に間隔をあけて配置され、紙幣の幅寄せを行う傾斜面１６とこの傾斜面１６の終端側に形成された搬送基準面１７を有する幅寄せガイド１５を備え、搬送している紙幣を幅寄せガイド１５の傾斜面１６に当接させて幅寄せしたとき、紙幣が上ベルト２、下ベルト５に対して搬送方向と直交する方向に滑りを生じながら紙幣の一側が搬送基準面１７に導かれるようにしたことを特徴とする。【選択図】図１
2010047356.tif 000002
【特許請求の範囲】
【請求項１】
少なくとも２つのローラに巻きかけられた第１の搬送ベルトと、
少なくとも２つのローラに巻きかけられかつ前記第１の搬送ベルトに重ねて配置された第２の搬送ベルトと、
前記第１、第２の搬送ベルトの一側に間隔をあけて配置され、媒体の幅寄せを行う傾斜面とこの傾斜面の終端側に形成された搬送基準面を有する幅寄せガイドを備え、
前記第１、第２の搬送ベルトで挟持して搬送している媒体を前記幅寄せガイドの前記傾斜面に当接させて幅寄せしたとき、前記媒体が前記第１、第２の搬送ベルトに対して搬送方向と直交する方向に滑りを生じながら媒体の一側が前記搬送基準面に導かれるようにしたことを特徴とする媒体搬送機構。
【請求項２】
請求項１に記載の媒体搬送機構において、
前記第２の搬送ベルトを巻きかけたローラ間に複数の補助ローラを設けて、該補助ローラを前記ローラよりも前記第１の搬送ベルト側に寄った位置に配することで前記第１の搬送ベルトと前記第２の搬送ベルトの重なり合った部分を山形にし、  
このベルトの山形に合わせて表面を山形にした搬送ガイドを前記第２の搬送ベルト側方に設けて、幅寄せ時の媒体の端部を支えることを特徴とする媒体搬送機構。
【発明の詳細な説明】
【技術分野】
【０００１】
本発明は、紙幣等の媒体を搬送する媒体搬送機構に関し、特にサイズの異なる媒体を安定して搬送するための技術に関する。
【背景技術】
【０００２】
従来の媒体搬送機構は、大きさの異なる券を取扱うものであって、対向ベルトの幅が大型券の幅に応じた大きさとなっているので、大型券を対向ベルトで搬送する場合は大型券の側部が対向ベルトの側方に設けた走行壁面に沿うようにして搬送させる一方、小型券を搬送するときには小型券と走行壁面の間隔があいてしまうために幅寄せ具によって小型券を走行壁面に寄せるように押圧し、小型券の端部を走行壁面に沿うように搬送させるようにしている（例えば、特許文献１参照。）。
【特許文献１】特開２００２−２４９２６３号公報（段落「００１１」、第１図）
【発明の開示】
【発明が解決しようとする課題】
【０００３】
しかしながら、上述した従来の技術においては、幅寄せ具によって紙幣を走行壁面側に押圧するために、幅寄せ具を動作させる機構を設ける必要があり装置が大型化してコストが大きくなってしまうという問題がある。
また券をローラで挟持して搬送する構成となっている場合、ローラによって挟持された券を幅寄せ具によって押圧しても、券が動かずに走行壁面に寄せきれないという問題がある。
【０００４】
本発明は、上記の問題点を解決するための手段を提供することを目的とする。
【課題を解決するための手段】
【０００５】
本発明は、上記課題を解決するために、少なくとも２つのローラに巻きかけられた第１の搬送ベルトと、少なくとも２つのローラに巻きかけられかつ前記第１の搬送ベルトに重ねて配置された第２の搬送ベルトと、前記第１、第２の搬送ベルトの一側に間隔をあけて配置され、媒体の幅寄せを行う傾斜面とこの傾斜面の終端側に形成された搬送基準面を有する幅寄せガイドを備え、前記第１、第２の搬送ベルトで挟持して搬送している媒体を前記幅寄せガイドの前記傾斜面に当接させて幅寄せしたとき、前記媒体が前記第１、第２の搬送ベルトに対して搬送方向と直交する方向に滑りを生じながら媒体の一側が前記搬送基準面に導かれるようにしたことを特徴とする。
【発明の効果】
【０００６】
これにより、本発明は、幅寄せ具等の媒体を整列させるための部材を省くことができるので小型化を図ることができるという効果が得られる。
【発明を実施するための最良の形態】
【０００７】
以下に、図面を参照して本発明による媒体搬送機構の実施例について説明する。
【実施例１】
【０００８】
図１は実施例１の媒体搬送機構を示す説明図である。
図１において、１は媒体搬送機構である。
２は上ベルト（第１の搬送ベルト）であり、２つのローラ３ａ、３ｂに巻きかけた無端状のベルトであって紙幣Ｐの上面に当接する位置に配され、図示しない駆動機構によってローラ３ａ、３ｂのいずれか一方が回転することで走行する。
【０００９】
５は下ベルト（第２の搬送ベルト）であり、上ベルト２に下方から対向し、かつ紙幣Ｐの下面に当接する位置に配され、ローラ６ａ、６ｂに巻きかけた無端状のベルトであり、図示しない駆動機構によってローラ６ａ、６ｂのいずれか一方が回転することで走行する。
上ベルト２と下ベルト５は、それぞれの一部が重なるように配置されており、その重なり合う部分で紙幣を挟持して搬送する。
【００１０】
８は補助ローラであり、下ベルト５を巻きかけるローラ６ａ、６ｂ間に所定の間隔で複数並べられ、ローラ６ａ、６よりも僅かに高い位置、つまり上ベルト２に寄った位置に配される。
また補助ローラ８の位置をローラ６ａ、６ｂの略中間に向かって徐々に高くなるように配置することで、上ベルト２と下ベルト５との重なり合う部分が山形となるようにしている。
【００１１】
上ベルト２と下ベルト５との重なり合う部分を山形とすることで、紙幣Ｐを搬送中、上ベルト２に対してどの位置でもほぼ均等な力が加わるようになる為、紙幣Ｐの搬送を妨げる抵抗にならず、これにより紙幣Ｐを搬送する力はどこでも一定になる。
なお、補助ローラ８が並ぶ間隔は、搬送方向に沿った紙幣の辺の長さが最も短い紙幣Ｐより短いものとし、その間隔に合わせて配される補助ローラ８の数が決定する。
【００１２】
１０は搬送ガイドであり、矢印Ａで示す紙幣Ｐの搬送方向に対する下ベルト５の両側にそれぞれ配されており、下ベルト５からはみ出た紙幣Ｐの下面を支えるものであって、その表面が下ベルト５の紙幣Ｐとの接触面とほぼ同じ高さで、かつ下ベルト５と同様にローラ６ａ、６ｂの略中間がせり上がった山形となっている。
また搬送ガイド１０は、紙幣搬送方向の上流側の端部に下方への傾斜面が設けられていることで、搬送されてくる紙幣Ｐが上ベルト２と下ベルト５との間に入り込むのを案内する。
【００１３】
ここで図２は実施例１の媒体搬送機構を示す上面図である。
図２において、１５は幅寄せガイドであり、上ベルト２および下ベルト５の紙幣Ｐの搬送方向に対しする左右の一側に間隔をあけて配置され、搬送方向の上流から下流にかけて上ベルト２および下ベルト５側へと寄るように傾斜する傾斜面１６と、その傾斜面１６の終端側で傾斜面１６につながって搬送方向に対する紙幣Ｐの横方向の基準位置を定めるための搬送基準面１７を有する。
【００１４】
幅寄せガイド１５を上記のように構成することで、上ベルト２と下ベルト５とに挟持搬送された紙幣Ｐが傾斜面１６に接触することで、その傾斜面１６から搬送基準面１７に沿って幅寄せされながら搬送され、よって紙幣Ｐの搬送を案内し幅寄することができる。
上述した構成の作用について説明する。
本発明の媒体搬送機構によって図１の矢印Ａで示す紙幣Ｐの搬送方向に紙幣Ｐを搬送する場合、ローラ３ａとローラ６ａによって紙幣Ｐを挟持すると共に上ベルト２と下ベルト５との間に引き込む。次に下ベルト５と上ベルト２の走行によって紙幣Ｐを搬送する。
【００１５】
ここで、幅寄せガイド１５が搬送方向の上流から下流にかけて上ベルト２および下ベルト５側へと寄る、つまり搬送される紙幣Ｐの方に向かって傾斜しているために、搬送される紙幣Ｐは幅寄せガイド１５に接触するようになる。
紙幣Ｐは、その端部が幅寄せガイド１５の傾斜面１６に沿うように搬送されていき、ここで紙幣Ｐは上ベルト２と下ベルト５に挟まれているが、下ベルト５には補助ローラ８が配されているのに対して、上ベルト２にはローラ３ａ、３ｂ以外のローラは配されていないため、紙幣Ｐに作用する摩擦は搬送方向と直交する方向に滑りを生じながら紙幣Ｐの一側が搬送基準面１７へ導かれるようになる。
【００１６】
そして、紙幣Ｐを幅寄せガイド１５の搬送基準面１７に寄り沿うように搬送していく。
このようにして、紙幣Ｐは全て幅寄せガイド１５の傾斜面１６と搬送基準面１７とに沿って整列させられながらその先へと搬送されるようになる。
以上説明したように、本実施例では、下ベルトに補助ローラを設けた一方、上ベルトには上ベルトを巻きかけるローラ以外のローラを設けないことで上ローラと紙幣Ｐとの間に作用する摩擦力を少なくし、その紙幣Ｐが幅寄せガイドに当接したときに紙幣Ｐを搬送方向と直交する方向に滑りを生じながら搬送して、幅寄せガイドに沿って幅寄せして整列させるため、紙幣Ｐを整列させるための部材を設ける必要が無くなり媒体搬送機構の小型化を図ることができる。
【００１７】
加えて、紙幣Ｐを整列させるための部材を省略できることで、媒体搬送機構を構成するのに必要なコストを抑えることができる。
また、上ベルトと下ベルトとの重なり合う部分を山形することによって、紙幣Ｐが上ベルトと下ベルトの間に入り込んだことでベルトが撓み、ベルトと対向ベルト間に隙間が生じることで紙幣が挟持できなくなってしまうのを防止する。
【図面の簡単な説明】
【００１８】
【図１】実施例１の媒体搬送機構を示す説明図
【図２】実施例１の媒体搬送機構を示す上面図
【符号の説明】
【００１９】
１    媒体搬送機構
２    上ベルト（第１の搬送ベルト）
３ａ、３ｂ、６ａ、６ｂ  ローラ
５    下ベルト（第２の搬送ベルト）
８    補助ローラ
１０  搬送ガイド
１５  幅寄せガイド
１６  傾斜面
１７  搬送基準面
【図１】
2010047356.tif 000003
【図２】
2010047356.tif 000004